(57)【要約】【課題】医用画像の収集条件の見直しを効率よく実施させることができる医用情報処理装置を提供すること。【解決手段】実施形態に係る医用情報処理装置は、取得部と、収集部と、提示部とを備える。取得部は、医用画像の収集条件に含まれる項目の変更を示す変更情報を取得する。収集部は、所定の条件に基づいて、前記医用画像の収集条件として利用された実績を有する実績情報から前記変更情報に関連する関連情報を収集する。提示部は、前記変更情報を前記関連情報に対応付けて提示する。【選択図】図１
2018000739.tif 000002
【特許請求の範囲】
【請求項１】
医用画像の収集条件に含まれる項目の変更を示す変更情報を取得する取得部と、
所定の条件に基づいて、前記医用画像の収集条件として利用された実績を有する実績情報から前記変更情報に関連する関連情報を収集する収集部と、
前記変更情報を前記関連情報に対応付けて提示する提示部と、
を備える、医用情報処理装置。
【請求項２】
前記収集部は、前記関連情報として、前記収集条件に含まれる項目の変更後の値に関連する値の情報である第１の関連情報、変更された項目に関連する項目の情報である第２の関連情報、及び、前記第１の関連情報を収集条件として前記医用画像を収集した場合の結果の情報である第３の関連情報を収集する、請求項１に記載の医用情報処理装置。
【請求項３】
前記収集部は、前記実績情報において、前記収集条件に含まれる項目の変更の値と一致する値、変更前の値と一致する値、及び前記関連情報を収集するための収集条件のうち少なくとも１つを前記所定の条件として用い、前記第１の関連情報を収集する、請求項２に記載の医用情報処理装置。
【請求項４】
前記収集部は、前記実績情報において、前記第１の関連情報に対応する医用画像、前記医用画像の画質及び前記第１の関連情報に対応する線量値のうち少なくとも１つを前記第３の関連情報として収集する、請求項３に記載の医用情報処理装置。
【請求項５】
前記収集部は、前記実績情報において、前記第１の関連情報と前記第２の関連情報との組み合わせに対応する医用画像及び前記第１の関連情報と前記第２の関連情報との組み合わせに対応する線量値のうち少なくとも１つを前記第３の関連情報として収集する、請求項４に記載の医用情報処理装置。
【請求項６】
前記収集部は、前記実績情報において、前記第１の関連情報に対応する医用画像及び前記第１の関連情報に対応する線量値を前記第３の関連情報として収集し、
前記提示部は、前記第１の関連情報、前記医用画像及び前記線量値に対応付けて前記変更情報を提示する、請求項４に記載の医用情報処理装置。
【請求項７】
前記提示部は、前記第１の関連情報、前記第２の関連情報及び前記第３の関連情報のうち少なくとも１つの関連情報について前記実績情報における傾向を解析し、解析結果をさらに対応付けて提示する、請求項２〜６のいずれか一項に記載の医用情報処理装置。
【請求項８】
前記提示部は、所定の解析条件に基づいて前記傾向を解析する、請求項７に記載の医用情報処理装置。
【請求項９】
前記収集部は、造影剤に関する情報、疾病に関する情報、被検体に関する情報、及び、操作ログのうち、少なくとも１つを前記関連情報としてさらに収集し、
前記提示部は、前記収集部によって収集された前記関連情報をさらに対応付けて提示する、請求項１〜８のいずれか一項に記載の医用情報処理装置。
【発明の詳細な説明】
【技術分野】
【０００１】
本発明の実施形態は、医用情報処理装置に関する。
【背景技術】
【０００２】
従来、医用画像診断装置にて実行される検査の条件について、定期的に見直しが実施される。例えば、Ｘ線ＣＴ（Computed  Tomography）装置において実行される種々のプロトコルについて、未使用のプロトコルを削除したり、プロトコルの品質を向上させたりするために、放射線科の管理者が定期的に集まってプロトコルの見直しを実施する。ここで、近年、このようなプロトコルの見直しをサポートするためのシステムとして、プロトコルのレビュー・承認・Ｘ線ＣＴ装置への配信をシステマティックに行うプロトコル管理システムなどが知られている。
【先行技術文献】
【特許文献】
【０００３】
【特許文献１】特開２００９−０１１８２９号公報
【特許文献２】特開２０１０−０８８９３７号公報
【特許文献３】特開２００６−３０５２０１号公報
【特許文献４】特開２００７−１４３７１９号公報
【発明の概要】
【発明が解決しようとする課題】
【０００４】
本発明が解決しようとする課題は、医用画像の収集条件の見直しを効率よく実施させることができる医用情報処理装置を提供することである。
【課題を解決するための手段】
【０００５】
実施形態に係る医用情報処理装置は、取得部と、収集部と、提示部とを備える。取得部は、医用画像の収集条件に含まれる項目の変更を示す変更情報を取得する。収集部は、所定の条件に基づいて、前記医用画像の収集条件として利用された実績を有する実績情報から前記変更情報に関連する関連情報を収集する。提示部は、前記変更情報を前記関連情報に対応付けて提示する。
【図面の簡単な説明】
【０００６】
【図１】図１は、第１の実施形態に係る医用情報処理装置の構成の一例を示す図である。
【図２Ａ】図２Ａは、第１の実施形態に係るパラメータ実績情報の一例を示す図である。
【図２Ｂ】図２Ｂは、第１の実施形態に係る画像情報の一例を示す図である。
【図２Ｃ】図２Ｃは、第１の実施形態に係る線量情報の一例を示す図である。
【図３】図３は、第１の実施形態に係るプロトコル管理システムにおける表示画面の一例を示す図である。
【図４】図４は、第１の実施形態に係る取得機能による取得処理の一例を説明するための図である。
【図５】図５は、第１の実施形態に係る収集機能による収集処理の一例を説明するための図である。
【図６】図６は、第１の実施形態に係る提示機能によって表示される表示情報の一例を示す図である。
【図７Ａ】図７Ａは、第１の実施形態に係る提示機能によって表示される表示情報のバリエーションを示す図である。
【図７Ｂ】図７Ｂは、第１の実施形態に係る提示機能によって表示される表示情報のバリエーションを示す図である。
【図７Ｃ】図７Ｃは、第１の実施形態に係る提示機能によって表示される表示情報のバリエーションを示す図である。
【図７Ｄ】図７Ｄは、第１の実施形態に係る提示機能によって表示される表示情報のバリエーションを示す図である。
【図７Ｅ】図７Ｅは、第１の実施形態に係る提示機能によって表示される表示情報のバリエーションを示す図である。
【図８Ａ】図８Ａは、第１の実施形態に係る提示機能によって表示される表示情報の変形例を示す図である。
【図８Ｂ】図８Ｂは、第１の実施形態に係る提示機能によって表示される表示情報の変形例を示す図である。
【図９】図９は、第１の実施形態に係る提示機能によって表示される表示情報の変形例を示す図である。
【図１０】図１０は、第１の実施形態に係る医用情報処理装置による処理手順を示すフローチャートである。
【図１１】図１１は、第１の実施形態に係る医用情報処理装置による処理手順を示すフローチャートである。
【図１２】図１２は、第１の実施形態に係る医用情報処理装置による処理手順を示すフローチャートである。
【図１３】図１３は、第１の実施形態に係る医用情報処理装置による処理手順を示すフローチャートである。
【図１４】図１４は、第２の実施形態に係る記憶回路に格納される情報の一例を示す図である。
【発明を実施するための形態】
【０００７】
以下に添付図面を参照して、本願に係る医用情報処理装置の実施形態を詳細に説明する。なお、本願に係る医用情報処理装置は、以下に示す実施形態によって限定されるものではない。
【０００８】
（第１の実施形態）
図１は、第１の実施形態に係る医用情報処理装置の構成の一例を示す図である。例えば、図１に示すように、第１の実施形態に係る医用情報処理装置３００は、ネットワークを介して、医用画像診断装置１００と、画像保管装置２００とに接続される。なお、医用情報処理装置３００は、ネットワークを介して、例えば、サーバ装置や、ユーザ端末等の他の情報処理装置にさらに接続されてもよい。
【０００９】
医用画像診断装置１００は、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等である。また、第１の実施形態に係る医用画像診断装置１００は、医用画像を生成するための画像データの収集に際して、種々のパラメータを含む収集条件に基づいて、画像データを収集する。
【００１０】
例えば、医用画像診断装置１００としてのＸ線ＣＴ装置は、投影データの収集に関するパラメータ（撮影条件のパラメータ）と、収集した投影データを用いた画像データ（ボリュームデータ）の再構成に関するパラメータ（再構成条件のパラメータ）を含むプロトコルに基づいて、ボリュームデータを収集する。また、Ｘ線ＣＴ装置は、収集したボリュームデータに対して種々の画像処理を実行することで表示用のＣＴ画像を生成する。Ｘ線ＣＴ装置は、収集したボリュームデータや、生成したＣＴ画像を画像保管装置２００に格納する。また、Ｘ線ＣＴ装置は、ボリュームデータやＣＴ画像を用いた各種画像解析を実行する。
【００１１】
画像保管装置２００は、各種の医用画像診断装置１００によって収集された画像データを保管する。例えば、画像保管装置２００は、サーバ装置等のコンピュータ機器によって実現される。本実施形態では、画像保管装置２００は、ネットワークを介して医用画像診断装置１００から画像データを取得し、取得した画像データを装置内又は装置外に設けられた記憶回路に記憶させる。
【００１２】
医用情報処理装置３００は、ネットワークを介して各種の医用画像診断装置１００や画像保管装置２００から画像データ収集に関する種々の情報を取得し、取得した情報を用いて医用画像の収集条件の見直しをサポートする。具体的には、医用情報処理装置３００は、収集条件に含まれるパラメータの変更に関する情報や医用画像などを取得し、変更対象のパラメータに関連する種々の情報を提示することで、収集条件の見直しをサポートする。例えば、医用情報処理装置３００は、ワークステーション等のコンピュータ機器によって実現される。
【００１３】
例えば、図１に示すように、医用情報処理装置３００は、Ｉ／Ｆ（インターフェース）回路３１０と、入力回路３２０と、ディスプレイ３３０と、記憶回路３４０と、処理回路３５０とを有する。
【００１４】
Ｉ／Ｆ回路３１０は、処理回路３５０に接続され、ネットワークを介して接続された医用画像診断装置１００又は画像保管装置２００との間で行われる各種データの伝送及び通信を制御する。例えば、Ｉ／Ｆ回路３１０は、ネットワークカードやネットワークアダプタ、ＮＩＣ（Network  Interface  Controller）等によって実現される。
【００１５】
入力回路３２０は、処理回路３５０に接続され、操作者から受け付けた入力操作を電気信号に変換して処理回路３５０に出力する。例えば、入力回路３２０は、スイッチボタン、マウス、キーボード、タッチパネル等によって実現される。
【００１６】
ディスプレイ３３０は、処理回路３５０に接続され、処理回路３５０から出力される各種情報及び各種画像データを表示する。例えば、ディスプレイ３３０は、液晶モニタやＣＲＴ（Cathode  Ray  Tube）モニタ、タッチパネル等によって実現される。
【００１７】
記憶回路３４０は、処理回路３５０に接続され、各種データを記憶する。例えば、記憶回路３４０は、ＲＡＭ（Random  Access  Memory）、フラッシュメモリ等の半導体メモリ素子や、ハードディスク、光ディスク等によって実現される。本実施形態では、記憶回路３４０は、医用画像診断装置１００又は画像保管装置２００から受信した収集条件に含まれるパラメータの変更に関する情報や医用画像等を記憶する。
【００１８】
処理回路３５０は、入力回路３２０を介して操作者から受け付けた入力操作に応じて、医用情報処理装置３００が有する各構成要素を制御する。例えば、処理回路３５０は、プロセッサによって実現される。本実施形態では、処理回路３５０は、Ｉ／Ｆ回路３１０から出力されるパラメータの変更に関する情報や医用画像等を記憶回路３４０に記憶させる。また、処理回路３５０は、記憶回路３４０から各種情報や医用画像等を読み出して、種々の処理を実行し、処理結果をディスプレイ３３０に表示する。
【００１９】
このような構成のもと、本実施形態に係る医用情報処理装置３００は、医用画像の収集条件の見直しを効率よく実施させることを可能にする。具体的には、医用情報処理装置３００は、医用画像の収集条件の見直し時に変更されたパラメータに関する参考情報を提示することで、見直しを効率よく実施させる。上述したように、医用画像診断装置１００においては、検査の条件について、定期的に見直しが実施される。例えば、Ｘ線ＣＴ装置において実行される種々のプロトコルについて、未使用のプロトコルを削除したり、プロトコルの品質を向上させたりするために、放射線科の管理者が定期的に集まってプロトコルの見直しを実施する。
【００２０】
この見直しにおいてパラメータの微調整が行われた場合に、医用情報処理装置３００は、微調整後のパラメータに関連する情報を管理者に提示することで、微調整後のパラメータのチェック及び是正を行うことを可能にし、医用画像の収集条件の見直しを効率よくすることを可能にする。ここで、医用情報処理装置３００は、微調整後のパラメータに関連する情報を、実際に検査が実施された（医用画像の収集が実行された）条件の情報（実績情報）から取得して、提示することで、より信頼度の高い参照情報を提供する。
【００２１】
以下、第１の実施形態では、医用情報処理装置３００においてＸ線ＣＴ装置におけるプロトコルの見直しが実施され、この見直しにおいてパラメータの微調整が実施された場合を例に挙げて説明する。本実施形態に係る記憶回路３４０は、図１に示すように、例えば、パラメータ実績情報３４１と、画像情報３４２と、線量情報３４３とを記憶する。また、本実施形態に係る処理回路３５０は、制御機能３５１と、取得機能３５２と、収集機能３５３と、提示機能３５４とを実行する。ここで、取得機能３５２は、特許請求の範囲における取得部の一例である。また、収集機能３５３は、特許請求の範囲における収集部の一例である。また、提示機能３５４は、特許請求の範囲における提示部の一例である。
【００２２】
パラメータ実績情報３４１は、検査を行った時に実際に使用された撮影条件及び再構成条件に関する情報であり、処理回路３５０によって医用画像診断装置１００（Ｘ線ＣＴ装置）等から取得される。図２Ａは、第１の実施形態に係るパラメータ実績情報３４１の一例を示す図である。例えば、パラメータ実績情報３４１は、図２Ａに示すように、「検査ＩＤ」と、「実施済みプロトコル」と、「パラメータ名」と、「パラメータ値」とを対応付けた情報である。ここで、図２Ａにおける「検査ＩＤ」とは、実際に実施された検査を一意に特定するための識別子である。また、図２Ａにおける「実施済みプロトコル」とは、実際に検査で実施されたプロトコルを示す。また、図２Ａにおける「パラメータ名」とは、プロトコルに含まれるパラメータ名を示す。また、図２Ａにおける「パラメータ値」とは、各パラメータの値を示す。
【００２３】
例えば、記憶回路３４０は、図２Ａに示すように、パラメータ実績情報「検査ＩＤ：Ｓ００６、実施済みプロトコル：ＤＰ０１３６、パラメータ名：ＫＶＰ（００１８，００６０）、ｍＡ（００１８，９３３０）、・・・、パラメータ値：１４０、２９０、・・・」を記憶する。ここで、上記した情報は、「検査ＩＤ」が「Ｓ００６」の検査において、「ＤＰ０１３６」のプロトコルが実施され、その時のパラメータが、「ＫＶＰ（００１８，００６０）：１４０」、「ｍＡ（００１８，９３３０）：２９０」であることを意味する。なお、パラメータ名の表記は、ＤＩＣＯＭ（Digital  Imaging  and  Communication  in  Medicine）のタグに含まれる表記を一例に挙げて示す。同様に、記憶回路３４０は、その他のパラメータ実績情報を記憶する。
【００２４】
画像情報３４２は、検査によって収集された医用画像であり、処理回路３５０によって医用画像診断装置１００（Ｘ線ＣＴ装置）又は画像保管装置２００から取得される。図２Ｂは、第１の実施形態に係る画像情報の一例を示す図である。例えば、画像情報３４２は、図２Ｂに示すように、「検査ＩＤ」と、「患者ＩＤ」と、「検査画像」とを対応付けた情報である。ここで、図２Ｂにおける「検査ＩＤ」とは、実際に実施された検査を一意に特定するための識別子である。また、図２Ｂにおける「患者ＩＤ」とは、対応する「検査ＩＤ」で特定される検査を受けた被検体を一意に特定するための識別子である。また、図２Ｂにおける「検査画像」とは、対応する「検査ＩＤ」で特定される検査によって収集された医用画像（ＣＴ画像）である。ここで、「検査画像」には、例えば、単純ＣＴ画像だけではなく、造影画像や、解析画像（例えば、パーフュージョン画像等）等の種々の画像が含まれる。また、図２Ｂにおける画像情報３４２は、あくまでも一例であり、実施形態はこれに限定されるものではない。例えば、画像情報３４２は、各画像の画質に関する情報（例えば、画質を示す数値等）をさらに対応付けられる場合であってもよい。
【００２５】
例えば、記憶回路３４０は、図２Ｂに示すように、「検査ＩＤ：Ｓ００６」と、「患者ＩＤ：Ｐ００６」と「検査画像」を対応付けた画像情報を記憶する。すなわち、記憶回路３４０は、「検査ＩＤ」が「Ｓ００６」の検査において、「患者ＩＤ」が「Ｐ００６」の被検体から収集したＣＴ画像を記憶する。同様に、記憶回路３４０は、その他の画像情報を記憶する。
【００２６】
線量情報３４３は、実際に画像を収集した際の線量に関する情報であり、処理回路３５０によって医用画像診断装置１００（Ｘ線ＣＴ装置）等から取得される。図２Ｃは、第１の実施形態に係る線量情報３４３の一例を示す図である。例えば、線量情報３４３は、図２Ｃに示すように、「検査ＩＤ」と、「患者ＩＤ」と、「線量値ＣＴＤＩ（Computed  Tomography  Dose  Index）ｖｏｌ（ｍＧｙ）」と、「線量値ＤＬＰ（Dose  Length  Product）（ｍＧｙ・ｃｍ）」とを対応付けた情報である。ここで、図２Ｃにおける「検査ＩＤ」とは、実際に実施された検査を一意に特定するための識別子である。また、図２Ｃにおける「患者ＩＤ」とは、対応する「検査ＩＤ」で特定される検査を受けた被検体を一意に特定するための識別子である。また、図２Ｃにおける「線量値ＣＴＤＩｖｏｌ（ｍＧｙ）」とは、対応する「検査ＩＤ」で特定されるＣＴ検査における線量指標を示す。また、図２Ｃにおける「線量値ＤＬＰ（ｍＧｙ・ｃｍ）」とは、「線量値ＣＴＤＩｖｏｌ（ｍＧｙ）」にＸ線照射範囲の体軸方向の長さを乗じた指標を示す。
【００２７】
例えば、記憶回路３４０は、図２Ｃに示すように、線量情報「検査ＩＤ：Ｓ００６、患者ＩＤ：Ｐ００６、線量値ＣＴＤＩｖｏｌ（ｍＧｙ）：４００、線量値ＤＬＰ（ｍＧｙ・ｃｍ）：６００」を記憶する。ここで、上記した情報は、検査ＩＤ「Ｓ００６」の検査において、患者ＩＤ「Ｐ００６」の被検体が受けた線量が「線量値ＣＴＤＩｖｏｌ（ｍＧｙ）：４００」、「線量値ＤＬＰ（ｍＧｙ・ｃｍ）：６００」であることを意味する。同様に、記憶回路３４０は、その他の線量情報を記憶する。
【００２８】
上述したパラメータ実績情報、画像情報及び線量情報は、例えば、医用画像診断装置１００（Ｘ線ＣＴ装置）において検査が実施されるごとに、処理回路３５０の制御機能３５１によって医用画像診断装置１００（Ｘ線ＣＴ装置）や画像保管装置２００から取得され、記憶回路３４０に格納される。なお、上述したパラメータ実績情報３４１や線量情報３４３は、ＤＩＣＯＭのタグに新たなテンプレート（例えば、ＤＩＣＯＭ  Ｓｕｐｐ．１２１）を準備して、医用画像診断装置１００によって保存されるようにする場合であってもよい。また、パラメータ実績情報３４１や線量情報３４３は、例えば、線量に関する既存のＤＩＣＯＭ情報（Radiation  Dose  SR）で管理されている情報（ＫＶＰ、ｍＡ等）から取得される場合であってもよい。
【００２９】
図１に戻って、処理回路３５０における制御機能３５１は、医用情報処理装置３００の全体制御を行う。例えば、制御機能３５１は、Ｉ／Ｆ回路３１０から出力されるパラメータの変更に関する情報や医用画像等を記憶回路３４０に記憶させる。また、制御機能３５１は、入力回路３２０を介して操作者から受け付けた入力操作に応じて、種々の処理を実行させる。
【００３０】
取得機能３５２は、医用画像の収集条件に含まれる項目の変更を示す変更情報を取得する。具体的には、取得機能３５２は、医用画像診断装置１００によって使用される収集条件の見直しにおいて、パラメータの変更を示す変更情報を取得する。例えば、取得機能３５２は、Ｘ線ＣＴ装置におけるプロトコルの見直しにおいてパラメータの変更情報を取得する。ここで、医用情報処理装置３００においては、プロトコルのレビュー・承認・Ｘ線ＣＴ装置への配信をシステマティックに行うプロトコル管理システムを適用することができる。
【００３１】
図３は、第１の実施形態に係るプロトコル管理システムにおける表示画面の一例を示す図である。例えば、処理回路３５０は、図３に示す画面をディスプレイ３３０に表示させ、入力回路３２０を介してパラメータの変更を受け付けることで、変更情報を取得する。例えば、処理回路３５０における提示機能３５４は、図３に示すように、「承認依頼リスト」を含むウィンドウをディスプレイ３３０に表示させる。ここで、「承認依頼リスト」とは、放射線科の管理者等に対してプロトコルの承認を依頼するリストである。「承認依頼リスト」は、例えば、図３に示すように、承認を依頼する「プロトコル」の情報を含む。ここで、承認を依頼する「プロトコル」は、プロトコルごとに、「患者タイプ」、「プロトコル名」、「変更回数」及び「承認日」などが対応付けられる。
【００３２】
「患者タイプ」は、対応する「プロトコル」を使用する被検体のタイプを示し、例えば、「大人」や「子供」などの情報が含まれる。また、「プロトコル名」は、対応する「プロトコル」の名称を示す。また、「変更回数」は、対応する「プロトコル名」に関して、これまでに変更された回数を示す。また、「承認日」は、対応するプロトコルに関して、承認された日時を示す。
【００３３】
プロトコル管理システムに対して、「プロトコル」の承認を依頼する依頼者が「プロトコル」を登録すると、提示機能３５４は、図３に示す「承認依頼リスト」に登録された「プロトコル」を表示させる。ここで、放射線科の管理者等が、依頼された「プロトコル」を確認するために選択すると、提示機能３５４は、図３に示すように、選択された「プロトコル」に含まれる各種パラメータをウィンドウの下部に表示させる。
【００３４】
例えば、提示機能３５４は、図３に示すように、Ｘ線ＣＴ装置における撮影条件のパラメータ「Ｓｃａｎ  Ｐａｒａｍｅｔｅｒ」と、再構成条件のパラメータ「Ｒｅｃｏｎ  Ｐａｒａｍｅｔｅｒ」とを表示させる。ここで、撮影条件のパラメータ「Ｓｃａｎ  Ｐａｒａｍｅｔｅｒ」には、例えば、図３に示すように、「ｍＡ」、「ＥｆｆｍＡ」、「Ｒｏｔａｔｉｏｎ  Ｔｉｍｅ」、「Ｔｏｔａｌ  Ｓｃａｎ  Ｔｉｍｅ」、「ＣＴＤＩ」、「ＤＬＰ」、「Ｍａｘ  Ｓｃａｎ  Ｒａｎｇｅ」などが含まれる。また、再構成条件のパラメータ「Ｒｅｃｏｎ  Ｐａｒａｍｅｔｅｒ」には、例えば、図３に示すように、「Ｓｌｉｃｅ  Ｉｎｔｅｒｖａｌ」、「Ｖａｒｉ−Ａｒｅａ」などが含まれる。
【００３５】
これらの各パラメータについて、依頼者が設定した値が、「Ｎｅｗ  Ｃｒｅａｔｅｄ」にて表示される。管理者は、「Ｎｅｗ  Ｃｒｅａｔｅｄ」に表示された各パラメータの値を参照して、値の微調整の要否を判断し、微調整を要する場合には、入力回路３２０を介してパラメータ値の微調整操作を行う。提示機能３５４は、入力回路３２０がパラメータ値の微調整操作を受け付けると、微調整後のパラメータ値を「Ｅｄｉｔｅｄ」にて表示させる。プロトコル管理システムでは、その後、管理者が、入力回路３２０を介して、「承認」又は「条件付き承認」を押下することにより、承認が依頼された「プロトコル」が承認される。ここで、「プロトコル」が承認されると、医用情報処理装置３００からＸ線ＣＴ装置に対して承認された「プロトコル」の情報が送信され、Ｘ線ＣＴ装置にて設定される。なお、管理者が「拒否」を押下した場合、「プロトコル」は承認されない。取得機能３５２は、入力回路３２０を介して受け付けたパラメータ値の変更内容を取得する。
【００３６】
本実施形態に係る医用情報処理装置３００は、このようなパラメータ値の微調整を受け付けた場合に、微調整後のパラメータ値に関連する関連情報を管理者に提供することで、見直しの効率を向上させる。具体的には、収集機能３５３が、所定の条件に基づいて、医用画像の収集条件として利用された実績を有する実績情報から変更情報に関連する関連情報を収集する。具体的には、収集機能３５３は、関連情報として、収集条件に含まれる項目の変更後の値に関連する値の情報である第１の関連情報、変更された項目に関連する項目の情報である第２の関連情報、及び、第１の関連情報を収集条件として医用画像を収集した場合の結果の情報である第３の関連情報を収集する。
【００３７】
すなわち、収集機能３５３は、微調整後のパラメータ値に関連する値の情報である第１の関連情報と、値が微調整されたパラメータに関連する他のパラメータの情報である第２の関連情報と、第１の関連情報に含まれる各パラメータ値でＣＴ画像を収集した場合の結果を、これまでの実績情報から取得する。例えば、収集機能３５３は、取得機能３５２によって取得されたパラメータ値に関連する関連情報を記憶回路３４０によって記憶されたパラメータ実績情報３４１から取得する。
【００３８】
以下、図４及び図５を用いて、取得機能３５２による取得処理及び収集機能３５３による収集機能の一例を説明する。図４は、第１の実施形態に係る取得機能３５２による取得処理の一例を説明するための図である。また、図５は、第１の実施形態に係る収集機能３５３による収集処理の一例を説明するための図である。
【００３９】
例えば、取得機能３５２は、図４に示すように、「承認依頼プロトコル：ＲＰ００３８」に含まれるパラメータの変更情報を取得する。一例を挙げると、取得機能３５２は、「承認依頼プロトコル：ＲＰ００３８」における「パラメータ名：ＫＶＰ（００１８，００６０）」の値を「１５０」から「１４０」に変更したことを示す変更情報を取得する。なお、取得機能３５２は、「承認依頼プロトコル：ＲＰ００３８」において、値が変更されたその他のパラメータについても変更情報を取得することができる。
【００４０】
収集機能３５３は、取得機能３５２によって取得された変更情報に関連する関連情報を取得する。ここで、収集機能３５３は、所定の条件に基づく関連情報を収集する。具体的には、収集機能３５３は、実績情報において、収集条件に含まれる項目の変更の値と一致する値、変更前の値と一致する値、及び関連情報を収集するための収集条件のうち少なくとも１つを所定の条件として用い、第１の関連情報を収集する。例えば、収集機能３５３は、実績情報において、収集条件に含まれる項目の変更の値と一致する値、変更前の値と一致する値、医用画像の収集回数が最多の値、医用画像の収集時の線量が上限となる場合の値、所定の操作者によって利用される値、医用画像の収集のやり直し回数に基づく値、及び、医用画像に対する画像解析時間に基づく値のうち少なくとも１つを所定の条件として用い、第１の関連情報を収集する。
【００４１】
一例を挙げると、収集機能３５３は、「パラメータ名：ＫＶＰ（００１８，００６０）」の値を「１５０」から「１４０」に変更したことを示す変更情報が取得機能３５２によって取得されると、図５に示すように、パラメータ実績情報３４１の中から「パラメータ名：ＫＶＰ（００１８，００６０）」の値が変更の値と一致する「１４０」の実績情報を収集する。すなわち、収集機能３５３は、「検査ＩＤ」ごとに、「実施済みプロトコル」、「パラメータ名」、「パラメータ値」が対応付けて記憶されているパラメータ実績情報３４１を参照して、「パラメータ名：ＫＶＰ（００１８，００６０）」の値が「１４０」である「検査ＩＤ：Ｓ００６」などの「実施済みプロトコル」を収集する。
【００４２】
ここで、収集機能３５３は、「実施済みプロトコル」において、パラメータ値が変更された「ＫＶＰ（００１８，００６０）」だけではなく、「ＫＶＰ（００１８，００６０）」に関連するその他のパラメータの情報（第２の関連情報）もあわせて収集する。例えば、収集機能３５３は、「検査ＩＤ：Ｓ００６」に対応する「実施済みプロトコル：ＤＰ０１３６」における「ｍＡ（００１８，９３３０）」などについても「パラメータ値」を収集する。
【００４３】
また、収集機能３５３は、「パラメータ値」が変更後の値と一致する値を有する「実施済みプロトコル」だけではなく、「パラメータ値」が変更前の値と一致する値を有する「実施済みプロトコル」、医用画像の収集回数が最多の「パラメータ値」を有する「実施済みプロトコル」、医用画像の収集時の線量が上限となる場合の「パラメータ値」を有する「実施済みプロトコル」、所定の操作者（例えば、熟練技師等）によって高頻度で利用される「パラメータ値」を有する「実施済みプロトコル」、医用画像の収集のやり直し回数が最多の「パラメータ値」を有する「実施済みプロトコル」、医用画像の収集のやり直し回数が最少の「パラメータ値」を有する「実施済みプロトコル」、医用画像に対する画像解析時間が最短の「パラメータ値」を有する「実施済みプロトコル」、医用画像に対する画像解析時間が最長の「パラメータ値」を有する「実施済みプロトコル」などの実績情報を収集する。
【００４４】
さらに、収集機能３５３は、実績情報において、第１の関連情報に対応する医用画像、医用画像の画質及び第１の関連情報に対応する線量値のうち少なくとも１つを第３の関連情報として収集する。具体的には、収集機能３５３は、実績情報（パラメータ実績情報３４１）から収集した各パラメータ値を用いて実際に収集されたＣＴ画像や、ＣＴ画像の画質、その時の線量値をさらに収集する。例えば、収集機能３５３は、収集した「実施済みプロトコル」の「検査ＩＤ：Ｓ００６」をキーとして、画像情報３４２及び線量情報３４３から、「検査ＩＤ：Ｓ００６」の検査画像及び線量値を収集する。すなわち、収集機能３５３は、図２Ｂに示す画像情報３４２から、「検査ＩＤ：Ｓ００６、患者ＩＤ：Ｐ００６」に対応付けられた「検査画像」を収集する。また、収集機能３５３は、図２Ｃに示す線量情報３４３から、「検査ＩＤ：Ｓ００６、患者ＩＤ：Ｐ００６」に対応付けられた「線量値ＣＴＤＩｖｏｌ（ｍＧｙ）：４００」と「線量値ＤＬＰ（ｍＧｙ・ｃｍ）：６００」を収集する。なお、収集機能３５３は、画像情報３４２から画質の情報を収集することもできる。
【００４５】
同様に、収集機能３５３は、収集したその他の「パラメータ値」に対応するＣＴ画像や線量値を収集する。なお、収集機能３５３は、関連情報として、第１の関連情報、第２の関連情報及び第３の関連情報の他に、種々の情報を収集することができる。例えば、収集機能３５３は、医用画像の画質、造影剤に関する情報、疾病に関する情報、被検体に関する情報、及び、操作ログのうち、少なくとも１つを関連情報としてさらに収集することができる。
【００４６】
図１に戻って、提示機能３５４は、変更情報を関連情報に対応付けて提示する。具体的には、提示機能３５４は、取得機能３５２によって取得されたパラメータ値の変更情報と、収集機能３５３によって収集された関連情報とを対応付けて提示する。例えば、提示機能３５４は、第１の関連情報（パラメータの値）、ＣＴ画像及び線量値に対応付けて変更情報を提示する。図６は、第１の実施形態に係る提示機能３５４によって表示される表示情報の一例を示す図である。
【００４７】
例えば、提示機能３５４は、図６に示すように、「パラメータ名：ＫＶＰ」の「パラメータ値」と、「代表画像」と、「線量値ＣＴＤＩｖｏｌ（ｍＧｙ）」と、「線量値ＤＬＰ（ｍＧｙ・ｃｍ）」とを対応付けた情報に、変更後（微調整後）のパラメータ値の情報を対応付けた表示情報をディスプレイ３３０に表示させる。すなわち、提示機能３５４は、収集機能３５３によって収集された各パラメータ値の情報と、それに対応するＣＴ画像及び線量値の情報とを対応付けて「パラメータ名：ＫＶＰ」の「パラメータ値」と、「代表画像」と、「線量値ＣＴＤＩｖｏｌ（ｍＧｙ）」と、「線量値ＤＬＰ（ｍＧｙ・ｃｍ）」とを対応付けた情報を生成する。そして、提示機能３５４は、生成した情報に、微調整後の「パラメータ値」を対応付けた表示画像を生成して、ディスプレイ３３０にて表示させる。
【００４８】
例えば、提示機能３５４は、プロトコル管理システムにおいて「ＫＶＰ」の「パラメータ値」が「１４０」に変更された場合、図６に示すように、「パラメータ名：ＫＶＰ」の「パラメータ値：１２０、１３５、１４０、１４３、１５０」のそれぞれに、「代表画像」と、「線量値ＣＴＤＩｖｏｌ（ｍＧｙ）」と、「線量値ＤＬＰ（ｍＧｙ・ｃｍ）」とを対応付け、「微調整後パラメータ値」が「１４０」であることを示す表示情報（図中、逆三角形で示す情報）を、プロトコル管理システムにおける表示画面（ウィンドウ）に重畳して表示させる。なお、「微調整後パラメータ値」を示す表示情報は、図示するものに限られず、矢印などを用いる場合であってもよい。或いは、例えば、「１４０」の領域のみ色を変えることで、「１４０」が「微調整後パラメータ値」であることを示す場合であってもよい。
【００４９】
これにより、管理者は、表示された表示情報を参照することで、変更後（微調整後）の「パラメータ値」がどのような値なのかを判断することができ、プロトコルの見直しを効率よく行うことができる。すなわち、管理者は、変更後のパラメータ値で所望の画像を得られるか否かを判断することができる。また、管理者は、変更後のパラメータ値でどの程度の線量値となるのかを判断することができる。プロトコルの見直しには、例えば、Ｘ線ＣＴ装置を操作してＣＴ画像を収集する技師や、読影医などが参加する。例えば、技師は、できるだけ線量値を下げて、被検体の被曝量を低減するようなプロトコルを求める。一方、読影医は、読影しやすいＣＴ画像が収集されるプロトコルを求める。従って、図６に示すように、各パラメータ値に対応付けて「代表画像」と「線量値」を表示させることで、それらのニーズに合致する最適なパラメータ値を選択することができる。
【００５０】
なお、「代表画像」は、各パラメータ値の中からそれぞれ任意に選択することができる。例えば、実績情報において「パラメータ値」が「１４０」であった実施済みプロトコルが複数収集された場合、提示機能３５４は、各実施済みプロトコルの中で、パラメータが微調整されたプロトコルに最も近い実施済みプロトコルで収集されたＣＴ画像を代表画像として選択する。また、提示機能３５４は、同一の実施済みプロトコルにおいて収集された複数のＣＴ画像からの「代表画像」の選択についても任意に選択することができる。
【００５１】
また、表示情報に含まれる「代表画像」は一枚に限られず、任意の枚数のＣＴ画像を表示させることができる。この場合、例えば、提示機能３５４は、「代表画像」の表示領域に複数のＣＴ画像を同時に表示させることもできる。或いは、提示機能３５４は、例えば、操作者（プロトコルの見直しに参加した管理者）が、入力回路３２０を介して「代表画像」の表示領域を操作することで、表示されるＣＴ画像が切り替わるように表示させることもできる。
【００５２】
上述したように、提示機能３５４は、「パラメータ値」と、「代表画像」と、「線量値」とを対応付けた表示情報をディスプレイ３３０にて表示させる。ここで、図６に示す表示情報は、あくまでも一例であり、その他種々の形態で表示させることができる。具体的には、提示機能３５４は、第１の関連情報、第２の関連情報及び第３の関連情報のうち少なくとも１つの関連情報について実績情報における傾向を解析し、解析結果をさらに対応付けて提示する。なお、提示機能３５４は、所定の解析条件に基づいて傾向を解析する。例えば、提示機能３５４は、傾向として、収集条件として利用された利用頻度、医用画像に対する解析における解析精度及び解析時間のうち少なくとも１つを用いる。図７Ａ〜図７Ｅは、第１の実施形態に係る提示機能３５４によって表示される表示情報のバリエーションを示す図である。
【００５３】
例えば、提示機能３５４は、各パラメータ値の使用頻度を示す表示情報を提示することができる。一例を挙げると、提示機能３５４は、使用頻度に応じて数値を色分けした表示情報を提示することができる。例えば、提示機能３５４は、図７Ａに示す各パラメータ値のうち、使用頻度の高いパラメータ値（１３５、１４０、１４３）に対応する数値を「緑」で示し、使用頻度の低下に伴って「オレンジ」、「赤」で数値を示す。これにより、管理者は、「オレンジ」や「赤」で示された使用頻度の低いパラメータ値（１２０、１５０）が適切な値ではないと一目で判断することができる。なお、提示機能３５４は、使用頻度の違いを色分けで示すだけではなく、例えば、図７Ａに示すように、使用頻度の高いパラメータ値（１３５、１４０、１４３）に対応する数値の表示形態を変えた表示情報を表示させることもできる。
【００５４】
また、提示機能３５４は、例えば、図７Ｂに示すように、各パラメータ値とそれに対応する代表画像及び線量値を示す表に使用頻度を示すグラフを合わせた表示情報を表示させることもできる。ここで、図７Ｂにおけるグラフは、縦軸に検査数を示し、横軸にパラメータ値を示す。また、横軸におけるパラメータ値は、グラフの下に示す表における各パラメータ値に対応する。提示機能３５４は、実際に実施された検査数に応じてグラフに色を付けた表示情報を表示させる。例えば、提示機能３５４は、検査数に所定の閾値（例えば、検査数：２０）を設け、検査数が所定の閾値を超えたパラメータ値（１３５、１４０、１４３）に対応するグラフの色を異なる色に変えて表示させる。
【００５５】
また、提示機能３５４は、図７Ｂに示す表示情報を使用頻度順に並べ替えて表示させることもできる。例えば、提示機能３５４は、図７Ｃに示すように、検査数が最も多い「パラメータ値：１４３」を左端に示し、検査数が多い順に左から右に並ぶように、グラフ、パラメータ値、代表画像、線量値の位置を変化させた表示情報をディスプレイ３３０にて表示させる。
【００５６】
また、提示機能３５４は、例えば、図７Ｄに示すように、「代表画像」を画像処理した画像に変更した表示情報を表示させることができる。例えば、提示機能３５４は、ＣＰＲ（Curved  Planar  Reformation）画像や、パーフュージョン画像などの画像を「代表画像」とした表示情報を表示させる。
【００５７】
さらに、提示機能３５４は、例えば、図７Ｅに示すように、画像解析に関する情報を含む表示情報を表示させることができる。ここで、図７Ｅにおけるグラフは、左側の縦軸に「解析精度（％）」を示し、右側の縦軸に「解析時間（sec）」を示し、横軸にパラメータ値を示す。また、横軸におけるパラメータ値は、グラフの下に示す表における各パラメータ値を示す。すなわち、図７Ｅに示す解析精度及び解析時間のグラフにおける各点は、左から順に「パラメータ値：１４３」、「パラメータ値：１４０」、「パラメータ値：１３５」、「パラメータ値：１５０」、「パラメータ値：１２０」に対応する。例えば、提示機能３５４は、図７Ｅに示すように、「代表画像」に示す画像の解析（画像処理）に要した時間である解析時間のグラフと、解析の成功率を示す解析精度を示すグラフを示す表示情報をディスプレイ３３０にて表示させる。
【００５８】
上述したように、提示機能３５４は、「パラメータ値」と、「代表画像」と、「線量値」とを対応付けた表示情報を提示する。ここで、図６〜図７Ｅに示す表示情報はあくまでも一例であり、実施形態はこれに限定されるものではない。以下、図８Ａ、図８Ｂ及び図９を用いて、表示情報の変形例について説明する。図８Ａ、図８Ｂ及び図９は、第１の実施形態に係る提示機能３５４によって表示される表示情報の変形例を示す図である。なお、図８Ａ、図８Ｂ及び図９においては、微調整後のＫＶＰのパラメータ値が「１６０」である場合を例に挙げて説明する。
【００５９】
例えば、提示機能３５４は、図８Ａに示すように、収集機能３５３によって収集された実績情報におけるパラメータ値の頻度分布を生成し、生成した頻度分布に微調整後のパラメータ値「１６０」を対応付けた表示情報をディスプレイ３３０に表示させる。ここで、提示機能３５４は、図８Ａに示すように、収集された実績情報において、「ＫＶＰ＝１６０」に対応するＣＴ画像と、該ＣＴ画像を収集した際の線量値を頻度分布に対応付けた表示情報を表示させる。
【００６０】
ここで、提示機能３５４は、頻度分布における任意の位置のＣＴ画像と線量値を表示させることができる。例えば、提示機能３５４は、図８Ｂに示すように、頻度分布の種々の位置のＫＶＰのパラメータ値に対応するＣＴ画像と線量値を、頻度分布に対応付けた表示情報を表示させる。なお、ＣＴ画像と線量値を表示させる位置は、表示情報を観察する観察者（プロトコルを見直す管理者）が任意に指定することができる。例えば、管理者は入力回路３２０を操作して、最も頻度が高い位置を指定することで、対応するＣＴ画像と線量値を表示させることができる。
【００６１】
上述した表示情報の例では、「パラメータ値」が「ＫＶＰ」の１つである場合を一例に挙げて説明した。しかしながら、実施形態はこれに限定されるものではなく、例えば、複数のパラメータ値に関する表示情報が表示される場合であってもよい。かかる場合には、まず、収集機能３５３が、実績情報において、第１の関連情報と第２の関連情報との組み合わせに対応する医用画像及び第１の関連情報と第２の関連情報との組み合わせに対応する線量値のうち少なくとも１つを第３の関連情報として収集する。
【００６２】
例えば、取得機能３５２は、変更後の「ＫＶＰ」のパラメータ値「１６０」と、「ＫＶＰ」の変更に伴って変更された「ｍＡ」のパラメータ値「２１０」を収集する。収集機能３５３は、「ＫＶＰ」のパラメータ値「１６０」と、「ｍＡ」のパラメータ値「２１０」に関連する「実施済みプロトコル」を収集する。すなわち、収集機能３５３は、「ＫＶＰ」のパラメータ値「１６０」に関して、上記した所定の条件に基づく「実施済みプロトコル」と、「ｍＡ」のパラメータ値「２１０」に関して、上記した所定の条件に基づく「実施済みプロトコル」とをそれぞれ収集する。そして、収集機能３５３は、各パラメータについて収集した「実施済みプロトコル」に対応するＣＴ画像と線量値を収集する。
【００６３】
提示機能３５４は、「ＫＶＰ」及び「ｍＡ」について、例えば、図９に示す表示情報を生成して、ディスプレイ３３０にて表示させる。すなわち、提示機能３５４は、図９に示すように、収集機能３５３によって収集された「実施済みプロトコル」それぞれの「ＫＶＰ」及び「ｍＡ」について、縦軸に「ＫＶＰ」を示し、横軸に「ｍＡ」を示す分布図を生成する。そして、提示機能３５４は、変更後の「ＫＶＰ」のパラメータ値「１６０」及び「ｍＡ」のパラメータ値「２１０」を分布図に対応付けた表示情報を生成して、ディスプレイ３３０にて表示させる。さらに、提示機能３５４は、「実施済みプロトコル」を示す各点にＣＴ画像と線量値を対応付けることもできる。
【００６４】
これにより、管理者は、複数のパラメータを考慮したプロトコルの見直しを実施することができ、見直しの効率をさらに向上させることができる。例えば、管理者は、図９の表示情報を参照して、「ＫＶＰ」及び「ｍＡ」の変更後のプロトコルの位置（図中の直線が交差する位置）から最も近い「実施済みプロトコル」の「ＫＶＰ」及び「ｍＡ」を最適なパラメータ値として選択することができる。或いは、管理者は、分布が密集している「実施済みプロトコル」のいずれかの「ＫＶＰ」及び「ｍＡ」を最適なパラメータ値として選択することができる。なお、図９に示す表示情報はあくまでも一例であり、実施形態はこれに限定されるものではない。例えば、図６〜図７Ｅに示す表示情報に、異なるパラメータがさらに対応付けられる場合であってもよい。
【００６５】
以上、処理回路３５０が有する各処理機能について説明した。ここで、例えば、上述した各処理機能は、コンピュータによって実行可能なプログラムの形態で記憶回路３４０に記憶される。処理回路３５０は、各プログラムを記憶回路３４０から読み出し、読み出した各プログラムを実行することで、各プログラムに対応する処理機能を実現する。換言すると、各プログラムを読み出した状態の処理回路３５０は、図１に示した各処理機能を有することとなる。
【００６６】
なお、図１では、単一の処理回路３５０によって各処理機能が実現される場合の例を説明したが、実施形態はこれに限られない。例えば、処理回路３５０は、複数の独立したプロセッサを組み合わせて構成され、各プロセッサが各プログラムを実行することにより各処理機能を実現するものとしても構わない。また、処理回路３５０が有する各処理機能は、単一又は複数の処理回路に適宜に分散又は統合されて実現されてもよい。
【００６７】
次に、第１の実施形態に係る医用情報処理装置３００による処理の手順について、図１０〜図１３を用いて説明する。図１０〜図１３は、第１の実施形態に係る医用情報処理装置３００による処理手順を示すフローチャートである。ここで、図１０は、パラメータ値の変更の受付処理について示し、図１０におけるステップＳ１０１は、例えば、処理回路３５０が制御機能３５１に対応するプログラムを記憶回路３４０から呼び出して実行することにより実現される。また、ステップＳ１０２は、例えば、処理回路３５０が提示機能３５４に対応するプログラムを記憶回路３４０から呼び出して実行することにより実現される。また、ステップＳ１０３は、例えば、処理回路３５０が取得機能３５２に対応するプログラムを記憶回路３４０から呼び出して実行することにより実現される。
【００６８】
図１１は、実績情報の収集処理について示し、図１１におけるステップＳ２０１〜Ｓ２０７は、例えば、処理回路３５０が収集機能３５３に対応するプログラムを記憶回路３４０から呼び出して実行することにより実現される。図１２は、実績情報の収集処理及び表示情報の生成について示し、図１２におけるステップＳ３０１、Ｓ３０４は、例えば、処理回路３５０が収集機能３５３に対応するプログラムを記憶回路３４０から呼び出して実行することにより実現される。また、ステップＳ３０２、３０３、３０５は、例えば、処理回路３５０が提示機能３５４に対応するプログラムを記憶回路３４０から呼び出して実行することにより実現される。図１３は、表示情報の表示について示し、図１３におけるステップＳ４０１〜Ｓ４０４は、例えば、処理回路３５０が提示機能３５４に対応するプログラムを記憶回路３４０から呼び出して実行することにより実現される。
【００６９】
例えば、図１０に示すように、本実施形態に係る医用情報処理装置３００では、まず、入力回路３２０を介して、処理回路３５０が、承認するプロトコルの選択を受け付ける（ステップＳ１０１）。そして、処理回路３５０が、選択されたプロトコルのパラメータ値をディスプレイ３３０に表示させる（ステップＳ１０２）。続いて、処理回路３５０が、入力回路３２０を介して、パラメータ値の微調整を受け付ける（ステップＳ１０３）。
【００７０】
そして、図１１に示すように、医用情報処理装置３００では、処理回路３５０が、パラメータ実績情報３４１にアクセスする（ステップＳ２０１）。そして、処理回路３５０が、対象とする微調整後のパラメータ値を決定して（ステップＳ２０２）、パラメータ実績情報３４１からパラメータ値が合致する実施済みプロトコルを取得する（ステップＳ２０３）。続いて、処理回路３５０が、収集条件をチェックして（ステップＳ２０４）、パラメータ実績情報３４１から収集条件に合致するパラメータ値を持つ実施済みプロトコルを取得する（ステップＳ２０５）。
【００７１】
そして、処理回路３５０が、他の収集条件があるか否かを判定する（ステップＳ２０６）。ここで、他の収集条件がある場合には（ステップＳ２０６肯定）、処理回路３５０が、ステップＳ２０４に戻って収集条件をチェックする。一方、他の収集条件がない場合には（ステップＳ２０６否定）、処理回路３５０が、微調整後のパラメータ値全てについて、処理が完了したか否かを判定する（ステップＳ２０７）。ここで、微調整後のパラメータ値全てについて処理が完了していない場合には（ステップＳ２０７否定）、処理回路３５０が、ステップＳ２０２に戻って対象とする微調整後のパラメータ値を決定する。一方、微調整後のパラメータ値全てについて処理が完了した場合には（ステップＳ２０７肯定）、処理回路３５０は、実績情報の収集処理を終了する。
【００７２】
続いて、図１２に示すように、医用情報処理装置３００では、処理回路３５０が、実施済みプロトコルの検査ＩＤをキーにして、画像情報３４２から該当プロトコルで得られたＣＴ画像を取得して（ステップＳ３０１）、取得したＣＴ画像から代表画像を決定する（ステップＳ３０２）。そして、処理回路３５０が、収集した実施済みプロトコルと画像データ（代表画像）をマージする（ステップＳ３０３）。さらに、処理回路３５０が、実施済みプロトコルの検査ＩＤをキーにして、線量情報３４３から該当プロトコルで得られた線量値を取得して（ステップＳ３０４）、マージしたプロトコル・画像データと、収集した線量値データとをさらにマージする（ステップＳ３０５）。
【００７３】
そして、図１３に示すように、医用情報処理装置３００では、処理回路３５０が、マージした情報を読み込み（ステップＳ４０１）、表示するＵＩ（User  Interface）に読み込んだデータを表示する（ステップＳ４０２）。さらに、処理回路３５０が、表示条件があるか否かを判定する（ステップＳ４０３）。ここで、表示条件がある場合には（ステップＳ４０３肯定）、処理回路３５０は、表示条件に従ってデータを更新（表示情報を変化）させ（ステップＳ４０４）、パラメータの変更情報を対応付けて表示させる。一方、表示条件がある場合には（ステップＳ４０３否定）、処理回路３５０は、読み込んだデータにパラメータの変更情報を対応付けて表示させる。
【００７４】
上述したように、第１の実施形態によれば、取得機能３５２は、医用画像の収集条件に含まれる項目の変更を示す変更情報を取得する。収集機能３５３は、所定の条件に基づいて、医用画像の収集条件として利用された実績を有する実績情報から変更情報に関連する関連情報を収集する。提示機能３５４は、変更情報を関連情報に対応付けて提示する。従って、第１の実施形態に係る医用情報処理装置３００は、変更されたパラメータ値に関連する関連情報を参照することができ、プロトコルの見直しを効率よく実施することを可能にする。
【００７５】
また、第１の実施形態によれば、収集機能３５３は、関連情報として、収集条件に含まれる項目の変更後の値に関連する値の情報である第１の関連情報、変更された項目に関連する項目の情報である第２の関連情報、及び、第１の関連情報を収集条件として医用画像を収集した場合の結果の情報である第３の関連情報を収集する。従って、第１の実施形態に係る医用情報処理装置３００は、種々の関連情報を参照させることができ、プロトコルの見直しをより効率よく実施することを可能にする。
【００７６】
また、第１の実施形態によれば、収集機能３５３は、実績情報において、収集条件に含まれる項目の変更の値と一致する値、変更前の値と一致する値、医用画像の収集回数が最多の値、医用画像の収集時の線量が上限となる場合の値、所定の操作者によって利用される値、医用画像の収集のやり直し回数に基づく値、及び、医用画像に対する画像解析時間に基づく値のうち少なくとも１つを所定の条件として用い、第１の関連情報を収集する。従って、第１の実施形態に係る医用情報処理装置３００は、変更されたパラメータ値について、幅広い関連情報を収集することができ、種々の関連情報を参照させることを可能にする。
【００７７】
また、第１の実施形態によれば、収集機能３５３は、実績情報において、第１の関連情報に対応する医用画像及び第１の関連情報に対応する線量値のうち少なくとも１つを第３の関連情報として収集する。従って、第１の実施形態に係る医用情報処理装置３００は、実施済みプロトコルにおける画像と線量値を参照させることができ、プロトコルの見直しに適切な情報を提供することを可能にする。
【００７８】
また、第１の実施形態によれば、収集機能３５３は、実績情報において、第１の関連情報と第２の関連情報との組み合わせに対応する医用画像及び第１の関連情報と第２の関連情報との組み合わせに対応する線量値のうち少なくとも１つを第３の関連情報として収集する。従って、第１の実施形態に係る医用情報処理装置３００は、複数のパラメータについて複合的な情報を参照させることができ、適切な見直しを実施することを可能にする。
【００７９】
また、第１の実施形態によれば、収集機能３５３は、実績情報において、第１の関連情報に対応する医用画像及び第１の関連情報に対応する線量値を第３の関連情報として収集する。提示機能３５４は、第１の関連情報、医用画像及び線量値に対応付けて変更情報を提示する。従って、第１の実施形態に係る医用情報処理装置３００は、実施済みプロトコルにおける画像と線量値を参照させることができ、プロトコルの見直しに適切な情報を提供することを可能にする。
【００８０】
また、第１の実施形態によれば、提示機能３５４は、第１の関連情報、第２の関連情報及び第３の関連情報のうち少なくとも１つの関連情報について実績情報における傾向を解析し、解析結果をさらに対応付けて提示する。従って、第１の実施形態に係る医用情報処理装置３００は、実施済みプロトコルにおけるパラメータ値がどのような傾向で使用されているか参照させることができ、プロトコルの見直しをより効率よく実施することを可能にする。
【００８１】
また、第１の実施形態によれば、提示機能３５４は、傾向として、収集条件として利用された利用頻度、医用画像に対する解析における解析精度及び解析時間のうち少なくとも１つを用いる。従って、第１の実施形態に係る医用情報処理装置３００は、実施済みプロトコルにおけるパラメータ値の使用傾向や、解析に関する情報を参照させることができ、プロトコルの見直しをより効率よく実施することを可能にする。
【００８２】
また、第１の実施形態によれば、収集機能３５３は、医用画像の画質、造影剤に関する情報、疾病に関する情報、被検体に関する情報、及び、操作ログのうち、少なくとも１つを関連情報としてさらに収集する。提示機能３５４は、収集機能３５３によって収集された関連情報をさらに対応付けて提示する。従って、第１の実施形態に係る医用情報処理装置３００は、実施済みプロトコルについて種々の情報を参照させることができ、管理者のニーズに合った表示情報を提供することを可能にする。
【００８３】
（第２の実施形態）
さて、これまで第１の実施形態について説明したが、上述した第１の実施形態以外にも、種々の異なる形態にて実施されてよいものである。
【００８４】
上述した実施形態では、パラメータ実績情報３４１と、画像情報３４２と、線量情報３４３とをそれぞれ別々に格納する場合について説明した。しかしながら、実施形態はこれに限定されるものではなく、例えば、パラメータ実績情報と、画像情報と、線量情報とを対応付けて格納する場合であってもよい。図１４は、第２の実施形態に係る記憶回路３４０に格納される情報の一例を示す図である。例えば、記憶回路３４０は、図１４に示すように、「検査ＩＤ」と、「患者ＩＤ」と、「承認済みプロトコル」と、「実施済みプロトコル」と、「線量値（ＤＬＰ）」と、「画像」とを対応付けた情報を記憶する。この場合、制御機能３５１は、Ｘ線ＣＴ装置や画像保管装置２００から取得した各情報を、例えば、「検査ＩＤ」をキーとして、図１４に示すように対応付け、記憶回路３４０に格納する。
【００８５】
また、上述した実施形態では、パラメータ値にＣＴ画像及び線量値を対応付けた表示情報を生成する場合について説明した。しかしながら、実施形態はこれに限定されるものではなく、例えば、医用画像の画質（定量値）、造影剤に関する情報（例えば、造影剤名、種類、注入量等）、疾病に関する情報、被検体に関する情報（既往歴、副作用情報等）、及び、操作ログが、パラメータ値に対応付けられた表示情報を生成する場合であってもよい。
【００８６】
また、上述した実施形態では、Ｘ線ＣＴ装置におけるプロトコルのパラメータ値が変更される場合を一例に挙げて説明した。しかしながら、実施形態はこれに限定されるものではなく、例えば、ＭＲＩ装置などの他のモダリティにおける収集条件のパラメータ値が変更される場合であってもよい。この場合、医用情報処理装置３００は、パラメータ値が変更されたプロトコルを使用するモダリティから実施済みプロトコルを収集する。
【００８７】
また、上述した実施形態は、医用情報処理装置３００が、実績情報を記憶回路３４０に記憶する場合を一例に挙げて説明した。しかしながら、実施形態はこれに限定されるものではなく、例えば、各モダリティの実績情報が外部記憶装置に記憶され、医用情報処理装置３００が、プロトコルの見直しの対象となるモダリティの実績情報を取得する場合であってもよい。
【００８８】
また、上述した各実施形態では、プロトコル管理システムを用いてプロトコルの見直しを行う場合を一例に挙げて説明した。しかしながら、実施形態はこれに限定されるものではなく、例えば、プロトコル管理システムを用いずにプロトコルの見直しを行う場合であってもよい。
【００８９】
また、上述した実施形態では、医用情報処理装置３００にプロトコル管理システムが適用される場合を一例に挙げて説明した。しかしながら、実施形態はこれに限定されるものではなく、例えば、プロトコル管理システムが適用された外部装置においてプロトコルの見直しが実施され、医用情報処理装置３００が、プロトコルの見直しに関する情報を取得して表示情報を生成し、生成した表示情報を外部装置に送信することで表示情報を管理者に提供する場合であってもよい。
【００９０】
また、上述した各実施形態の説明で用いた「プロセッサ」という文言は、例えば、ＣＰＵ（Central  Processing  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、記憶回路３４０にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００９１】
ここで、プロセッサによって実行されるプログラムは、ＲＯＭ（Read  Only  Memory）や記憶部等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９２】
以上説明した少なくとも一つの実施形態によれば、医用画像の収集条件の見直しを効率よく実施させることができる。
【００９３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
３００  医用情報処理装置
３５０  処理回路
３５１  制御機能
３５２  取得機能
３５３  収集機能
３５４  提示機能
【図１】
2018000739.tif 000003
【図２Ａ】
2018000739.tif 000004
【図２Ｂ】
2018000739.tif 000005
【図２Ｃ】
2018000739.tif 000006
【図３】
2018000739.tif 000007
【図４】
2018000739.tif 000008
【図５】
2018000739.tif 000009
【図６】
2018000739.tif 000010
【図７Ａ】
2018000739.tif 000011
【図７Ｂ】
2018000739.tif 000012
【図７Ｃ】
2018000739.tif 000013
【図７Ｄ】
2018000739.tif 000014
【図７Ｅ】
2018000739.tif 000015
【図８Ａ】
2018000739.tif 000016
【図８Ｂ】
2018000739.tif 000017
【図９】
2018000739.tif 000018
【図１０】
2018000739.tif 000019
【図１１】
2018000739.tif 000020
【図１２】
2018000739.tif 000021
【図１３】
2018000739.tif 000022
【図１４】
2018000739.tif 000023